(57)【要約】【課題】収容物の分解を防止するとともに保守性を確保した収容部材、光源装置、投影装置及び分解治具を提供すること。【解決手段】収容部材４００は、収容物を挟みこんで収容し、互いに対向する位置に配置される第１ホルダ４１０及び第２ホルダ４２０を備える。第１ホルダ４１０には貫通孔である第１開口部４１２ａが形成され、第１開口部４１２ａと対応する位置における第２ホルダ４２０が露出しており、第２ホルダ４２０には第２開口部４２２ａが形成され、第２開口部４２２ａと対応する位置における第１ホルダ４１０が露出している。また、第１ホルダ４１０と第２ホルダ４２０とは接着剤により固定される。【選択図】  図４
2019003155.tif 000002
【特許請求の範囲】
【請求項１】
収容物を挟みこんで収容し、互いに対向する位置に配置される第１ホルダ及び第２ホルダを備え、
前記第１ホルダには貫通孔である第１開口部が形成され、前記第１開口部と対応する位置における前記第２ホルダが露出しており、
前記第２ホルダには第２開口部が形成され、前記第２開口部と対応する位置における前記第１ホルダが露出しており、
前記第１ホルダと前記第２ホルダとは接着剤により固定される、
ことを特徴とする収容部材。
【請求項２】
前記第１ホルダは、前記第１開口部を複数有し、
前記第１ホルダと前記第２ホルダとは、一部の前記第１開口部において前記接着剤により固定される、
ことを特徴とする請求項１に記載の収容部材。
【請求項３】
前記第１ホルダは、前記収容物を収容する第１位置決め部と、前記第１開口部が形成された第１平板部とを有し、
前記第２ホルダは、前記第２開口部が形成された第２平板部を有する、
ことを特徴とする請求項１又は請求項２に記載の収容部材。
【請求項４】
前記第１ホルダは、前記第２開口部の対向位置に前記第２ホルダ側へ立設して先端が前記第２開口部から突出する第１リブを有することを特徴とする請求項１乃至請求項３の何れかに記載の収容部材。
【請求項５】
前記第２ホルダは、前記第１開口部の対向位置に前記第１ホルダ側へ立設して先端が前記第１開口部から突出する第２リブを有することを特徴とする請求項１乃至請求項４の何れかに記載の収容部材。
【請求項６】
前記第２リブは、前記第１開口部内における前記収容物側に配置されることを特徴とする請求項５に記載の収容部材。
【請求項７】
前記第１ホルダは、前記第２ホルダ側において、前記第１開口部に隣接した溝部を有することを特徴とする請求項１乃至請求項６の何れかに記載の収容部材。
【請求項８】
前記第２ホルダは、前記収容物を収容する第２位置決め部を有することを特徴とする請求項１乃至請求項７の何れかに記載の収容部材。
【請求項９】
前記第１ホルダは、複数のダミー開口部が形成されており、
前記ダミー開口部は、有底筒状若しくは有底角柱状であることを特徴とする請求項１乃至請求項８の何れかに記載の収容部材。
【請求項１０】
請求項１乃至請求項９の何れかに記載の収容部材を備え、
前記収容物は光源である、
ことを特徴とする光源装置。
【請求項１１】
請求項１０に記載の光源装置と、
前記光源装置からの光源光が照射され、画像光を形成する表示素子と、
前記表示素子から出射された前記画像光をスクリーンに投影する投影側光学系と、
前記表示素子と前記光源装置を制御する投影装置制御部と、
を有することを特徴とする投影装置。
【発明の詳細な説明】
【技術分野】
【０００１】
本発明は、収容部材、光源装置及び投影装置に関する。
【背景技術】
【０００２】
今日、パーソナルコンピュータの画面やビデオ画像、さらにメモリカード等に記憶されている画像データによる画像等をスクリーンに投影する画像投影装置として、データプロジェクタが多用されている。このプロジェクタは、光源から出射された光を、ＤＭＤ（デジタル・マイクロミラー・デバイス）と呼ばれるマイクロミラー表示素子、又は、液晶板に集光させ、スクリーン上にカラー画像を表示させるものである。
【０００３】
プロジェクタは、パーソナルコンピュータやＤＶＤプレーヤーなどの映像機器の普及に伴って、業務用プレゼンテーションから家庭用に至るまで、用途が拡大している。このようなプロジェクタにおいて、従来は高輝度の放電ランプを光源とするものが主流であったが、近年、レーザダイオード等の固体発光素子や、この固体発光素子を励起光源とする蛍光板を光源として備える投影装置が種々開発されている。
【０００４】
例えば、特許文献１には、光源装置内の光源用素子が、他の用途に用いるために取り外されることを防止する光源装置が開示されている。この光源装置では、孔部の後端周囲によりレーザ発光素子のフランジ部の前面を押えてレーザ発光素子を光源用素子ホルダの前面に押圧して当該光源用素子ホルダに固定し、リード線引出孔部に接着固定部材が充填されてレーザ発光素子を光源用素子ホルダに接着固定している。
【先行技術文献】
【特許文献】
【０００５】
【特許文献１】特開２０１３−６５５０７号公報
【発明の概要】
【発明が解決しようとする課題】
【０００６】
レーザダイオードユニットは、入力電力次第で高出力の光を出射するレーザダイオードを実装している。製品として使用する場合、レーザダイオードユニットは、安全等のため使用者により容易に分解されない機構とすることが望ましい。一方で、レーザダイオードが何らかの要因で保守交換が必要になったとき等の場合に備え、その分解方法を知っている者のみが分解できる機構にもする必要がある。
【０００７】
本発明は、以上の点に鑑み、収容物の分解を防止するとともに保守性を確保した収容部材、光源装置、投影装置を提供することを目的とする。
【課題を解決するための手段】
【０００８】
本発明に係る収容部材は、収容物を挟みこんで収容し、互いに対向する位置に配置される第１ホルダ及び第２ホルダを備え、前記第１ホルダには貫通孔である第１開口部が形成され、前記第１開口部と対応する位置における前記第２ホルダが露出しており、前記第２ホルダには第２開口部が形成され、前記第２開口部と対応する位置における前記第１ホルダが露出しており、前記第１ホルダと前記第２ホルダとは接着剤により固定される。
【０００９】
本発明に係る光源装置は、上述の収容部材を備え、前記収容物は光源である。
【００１０】
本発明に係る投影装置は、上述の光源装置と、前記光源装置からの光源光が照射され、画像光を形成する表示素子と、前記表示素子から出射された前記画像光をスクリーンに投影する投影側光学系と、前記表示素子と前記光源装置を制御する投影装置制御部と、を有する。
【発明の効果】
【００１１】
本発明によれば、収容物の分解を防止するとともに保守性を確保した収容部材、光源装置、投影装置を提供することができる。
【図面の簡単な説明】
【００１２】
【図１】本発明の実施形態１に係る投影装置を示す外観斜視図である。
【図２】本発明の実施形態１に係る投影装置の機能ブロックを示す図である。
【図３】本発明の実施形態１に係る投影装置の内部構造を示す平面模式図である。
【図４】本発明の実施形態１に係る収容部材及び光源ユニットの図３のＩＶ−ＩＶ断面に相当する模式図である。
【図５】本発明の実施形態１に係る収容部材の一部を図４のＰ部側からみた正面図である。
【図６】本発明の実施形態２に係る収容部材及び光源ユニットの図３のＩＶ−ＩＶ断面に相当する模式図である。
【発明を実施するための形態】
【００１３】
（実施形態１）
以下、本発明の実施形態について図を用いて説明する。図１は、投影装置１０の外観斜視図である。なお、本実施形態において、投影装置１０における左右とは投影方向に対しての左右方向を示し、前後とは投影装置１０のスクリーン側方向及び光線束の進行方向に対しての前後方向を示す。
【００１４】
投影装置１０は、図１に示すように、略直方体形状である。投影装置１０は、筐体の前方の側板とされる正面パネル１２の側方に投影口を覆うレンズカバー１９を有する。正面パネル１２には、複数の排気孔１７が設けられる。さらに、投影装置１０は、図示しないがリモートコントローラからの制御信号を受信するＩｒ受信部を備える。
【００１５】
また、筐体の上面パネル１１には、キー／インジケータ部３７が設けられる。このキー／インジケータ部３７には、電源スイッチキーや電源のオン又はオフを報知するパワーインジケータ、投影のオン、オフを切りかえる投影スイッチキー、光源装置や表示素子又は制御回路等が過熱したときに報知をする過熱インジケータ等のキーやインジケータが配置される。
【００１６】
筐体の背面には、背面パネルにＵＳＢ端子やアナログＲＧＢ映像信号が入力される映像信号入力用のＤ−ＳＵＢ端子、Ｓ端子、ＲＣＡ端子、音声出力端子等を設ける入出力コネクタ部及び電源アダプタプラグ等の各種端子（群）２０が設けられている。背面パネルには、複数の吸気孔が形成されている。なお、図示しない筐体の側板である右側パネル、及び、図１に示した側板である左側パネル１５には、各々複数の排気孔１７が形成されている。また、左側パネル１５の背面パネル近傍の隅部には、吸気孔１８が形成されている。
【００１７】
次に、投影装置１０の投影装置制御部について、図２の機能ブロック図を用いて述べる。投影装置制御部は、制御部３８、入出力インターフェース２２、画像変換部２３、表示エンコーダ２４、表示駆動部２６等から構成される。
【００１８】
制御部３８は、投影装置１０内の各回路の動作制御を司るものであって、ＣＰＵ、各種セッティング等の動作プログラムを固定的に記憶したＲＯＭ及びワークメモリとして使用されるＲＡＭ等により構成されている。
【００１９】
そして、この投影装置制御部により、入出力コネクタ部２１から入力された各種規格の画像信号は、入出力インターフェース２２、システムバス（ＳＢ）を介して画像変換部２３で表示に適した所定のフォーマットの画像信号に統一するように変換されたあと、表示エンコーダ２４に出力される。
【００２０】
また、表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２１】
表示駆動部２６は、表示素子制御部として機能するものであり、表示エンコーダ２４から出力された画像信号に対応して適宜フレームレートで空間的光変調素子（ＳＯＭ）である表示素子５１を駆動する。
【００２２】
投影装置１０は、光源装置６０から出射された光線束を、光源側光学系を介して表示素子５１に照射することにより、表示素子５１の反射光で光像を形成し、投影側光学系を介してスクリーンに画像を投影表示する。なお、この投影側光学系の可動レンズ群２３５は、レンズモータ４５によりズーム調整やフォーカス調整のための駆動が行われる。
【００２３】
画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２４】
さらに、画像圧縮／伸長部３１は、再生モード時にメモリカード３２に記録された画像データを読み出し、一連の動画を構成する個々の画像データを１フレーム単位で伸長する。画像圧縮／伸長部３１は、その画像データを、画像変換部２３を介して表示エンコーダ２４に出力し、メモリカード３２に記憶された画像データに基づいて動画等の表示を可能とする処理を行う。
【００２５】
そして、筐体の上面パネル１１に設けられるメインキー及びインジケータ等により構成されるキー／インジケータ部３７の操作信号は、直接に制御部３８に送出され、リモートコントローラからのキー操作信号は、Ｉｒ受信部３５で受信され、Ｉｒ処理部３６で復調されたコード信号が制御部３８に出力される。
【００２６】
なお、制御部３８にはシステムバス（ＳＢ）を介して音声処理部４７が接続されている。この音声処理部４７は、ＰＣＭ音源等の音源回路を備えており、投影モード及び再生モード時には音声データをアナログ化し、スピーカ４８を駆動して拡声放音させる。
【００２７】
また、制御部３８は、光源制御部としての光源制御回路４１を制御している。この光源制御回路４１は、画像生成時に要求される所定波長帯域の光が光源装置６０から出射されるように、励起光源や赤色光源装置から所定のタイミングで赤色、緑色及び青色の波長帯域光を発光させる個別の制御を行う。
【００２８】
さらに、制御部３８は、冷却ファン駆動制御回路４３に光源装置６０等に設けた複数の温度センサによる温度検出を行わせ、この温度検出の結果から冷却ファンの回転速度を制御させている。また、制御部３８は、冷却ファン駆動制御回路４３にタイマー等により投影装置１０本体の電源オフ後も冷却ファンの回転を持続させる、あるいは、温度センサによる温度検出の結果によっては投影装置１０本体の電源をオフにする等の制御も行う。
【００２９】
次に、この投影装置１０の内部構造について述べる。図３は、投影装置１０の内部構造を示す平面模式図である。投影装置１０は、右側パネル１４の近傍に制御回路基板２４１を備えている。この制御回路基板２４１は、電源回路ブロックや光源制御ブロック等を備えている。また、投影装置１０は、投影装置１０筐体の略中央部分に光源装置６０を備えている。光源装置６０と左側パネル１５との間には、光源側光学系１７０や投影側光学系２２０が配置されている。
【００３０】
光源装置６０は、赤色波長帯域光の光源とされる赤色光源装置１２０と、緑色波長帯域光の光源とされる緑色光源装置８０と、青色波長帯域光の光源とされる青色光源装置であると共に励起光源ともされる励起光照射装置７０と、を備える。緑色光源装置８０は、励起光照射装置７０と、蛍光板装置１００により構成される。光源装置６０は、導光光学系１４０を有する。導光光学系１４０は、緑色波長帯域光及び青色波長帯域光及び赤色波長帯域光の光線束を合わせて、光源側光学系１７０の同一光路上に導光する。
【００３１】
励起光照射装置７０は、投影装置１０筐体の右側パネル１４側に配置される。励起光照射装置７０は、背面パネル１３と光軸が平行になるよう配置された複数の固体発光素子を備える。本実施形態の固体発光素子は、青色波長帯域光を発する青色レーザダイオード７１である。また、青色レーザダイオード７１は、右側パネル１４と平行に配置されている。これら青色レーザダイオード７１は、固定ホルダ７４に固定される。また、励起光照射装置７０は、反射ミラー７６、拡散板７８、ヒートシンク８１を備える。反射ミラー７６は、各青色レーザダイオード７１からの出射光の光軸を拡散板７８に向けて９０度変換する。拡散板７８は、反射ミラー７６で反射した各青色レーザダイオード７１からの出射光を予め定められた拡散角度で拡散する。ヒートシンク８１は、青色レーザダイオード７１と右側パネル１４との間に配置される。
【００３２】
各青色レーザダイオード７１からの光路上には、青色レーザダイオード７１からの出射光の指向性を高めて平行光に変換するコリメータレンズアレイ７３のレンズ部７３１が配置されている。コリメータレンズアレイ７３は、青色レーザダイオード７１とともに固定ホルダ７４に固定される。固定ホルダ７４やコリメータレンズアレイ７３を含む光源ユニット６００は、収容部材４００に収容される。
【００３３】
赤色光源装置１２０は、青色レーザダイオード７１の光線束と光軸が平行となるように配置された赤色光源１２１と、赤色光源１２１からの出射光を集光する集光レンズ群１２５と、を備える。この赤色光源１２１は、赤色波長帯域光を発する固体発光素子である赤色発光ダイオードである。赤色光源装置１２０は、赤色光源装置１２０が出射する赤色波長帯域光の光軸が、蛍光板１０１から出射される緑色波長帯域光の光軸と交差するように配置される。また、赤色光源装置１２０は、赤色光源１２１の右側パネル１４側にヒートシンク１３０を備える。
【００３４】
緑色光源装置８０を構成する蛍光板装置１００は、蛍光板１０１、モータ１１０、入射側の集光レンズ群１１７、出射側の集光レンズ１１５を備える。蛍光板１０１は、励起光照射装置７０からの出射光の光軸と直交するように配置された蛍光ホイールである。この蛍光板１０１はモータ１１０により回転駆動する。集光レンズ群１１７は、励起光照射装置７０から出射される励起光の光線束を蛍光板１０１に集光する。集光レンズ１１５は、蛍光板１０１から正面パネル１２方向に出射される光線束を集光する。
【００３５】
蛍光板１０１には、蛍光発光領域と拡散透過領域とが周方向に並設されている。蛍光発光領域は、青色レーザダイオード７１から出射された青色波長帯域光を励起光として受けて、励起された緑色波長帯域の蛍光光を出射する。拡散透過領域は、青色レーザダイオード７１からの出射光を拡散透過する。拡散透過した出射光は、光源装置６０の青色波長帯域光として蛍光板１０１から出射される。
【００３６】
導光光学系１４０は、第一ダイクロイックミラー１４１、集光レンズ１４９、第二ダイクロイックミラー１４８、第一反射ミラー１４３、集光レンズ１４６、第二反射ミラー１４５、集光レンズ１４７を有する。第一ダイクロイックミラー１４１は、励起光照射装置７０から出射される青色波長帯域光及び蛍光板１０１から出射される緑色波長帯域光と、赤色光源装置１２０から出射される赤色波長帯域光とが交差する位置に配置される。第一ダイクロイックミラー１４１は、青色波長帯域光及び赤色波長帯域光を透過し、緑色波長帯域光を反射する。第一ダイクロイックミラー１４１で反射した緑色波長帯域光の光軸は、集光レンズ１４９に向かう左側パネル１５方向に９０度変換される。したがって、第一ダイクロイックミラー１４１を透過した赤色波長帯域光の光軸は、第一ダイクロイックミラー１４１により反射された緑色波長帯域光の光軸と一致する。
【００３７】
集光レンズ１４９は、第一ダイクロイックミラー１４１の左側パネル１５側に配置される。第一ダイクロイックミラー１４１を透過した赤色波長帯域光及び第一ダイクロイックミラー１４１により反射された緑色波長帯域光は、共に集光レンズ１４９に入射する。
【００３８】
第二ダイクロイックミラー１４８は、集光レンズ１４９の左側パネル１５側であって、集光レンズ１４７の背面パネル１３側に配置される。第二ダイクロイックミラー１４８は、赤色波長帯域光及び緑色波長帯域光を反射し、青色波長帯域光を透過する。したがって、集光レンズ１４９で集光された赤色波長帯域光及び緑色波長帯域光は、第二ダイクロイックミラー１４８によって反射されて、第二ダイクロイックミラー１４８の背面パネル１３側に配置された集光レンズ１７３に入射する。
【００３９】
第一反射ミラー１４３は、蛍光板１０１を透過した青色波長帯域光の光軸上、つまり、集光レンズ１１５と正面パネル１２との間に配置される。第一反射ミラー１４３は、青色波長帯域光を反射して、この青色波長帯域光の光軸を左側パネル１５方向に９０度変換する。集光レンズ１４６は、第一反射ミラー１４３の左側パネル１５側に配置される。また、第二反射ミラー１４５は、集光レンズ１４６の左側パネル１５側に配置される。第二反射ミラー１４５は、第一反射ミラー１４３により反射されて、集光レンズ１４６により集光された青色波長帯域光の光軸を、背面パネル１３側に９０度変換する。
【００４０】
集光レンズ１４７は、第二反射ミラー１４５の背面パネル１３側に配置される。第二反射ミラー１４５により反射された青色波長帯域光は、集光レンズ１４７を介して第二ダイクロイックミラー１４８を透過し、集光レンズ１７３に入射する。このようにして、導光光学系１４０により導光された赤色、緑色、青色の各波長帯域光の光線束は、光源側光学系１７０の同一光路上に導光される。
【００４１】
光源側光学系１７０は、集光レンズ１７３、ライトトンネル１７５、集光レンズ１７８、光軸変換ミラー１７９、集光レンズ１８３、照射ミラー１８５、コンデンサレンズ１９５を備える。なお、コンデンサレンズ１９５は、コンデンサレンズ１９５の背面パネル１３側に配置される表示素子５１から出射された画像光を、投影側光学系２２０に向けて出射するため、投影側光学系２２０の一部でもある。
【００４２】
集光レンズ１７３から出射した各光線束は、ライトトンネル１７５に入射する。ライトトンネル１７５に入射される各光線束は、ライトトンネル１７５により均一な強度分布の光線束となる。
【００４３】
ライトトンネル１７５の背面パネル１３側の光軸上には、集光レンズ１７８を介して、光軸変換ミラー１７９が配置されている。ライトトンネル１７５の出射口から出射した光線束は、集光レンズ１７８で集光された後、光軸変換ミラー１７９により、集光レンズ１８３に向かう光軸に変換される。
【００４４】
光軸変換ミラー１７９で反射した光線束は、集光レンズ１８３により集光された後、照射ミラー１８５により、コンデンサレンズ１９５を介して表示素子５１に所定の角度で照射される。なお、背面パネル１３側にはヒートシンク１９０が設けられている。ＤＭＤとされる表示素子５１は、このヒートシンク１９０により冷却される。
【００４５】
光源側光学系１７０により表示素子５１の画像形成面に照射された光源光である光線束は、表示素子５１の画像形成面で反射され、投影光として投影側光学系２２０を介してスクリーンに投影される。
【００４６】
投影側光学系２２０は、コンデンサレンズ１９５、可動レンズ群２３５、固定レンズ群２２５により構成される。固定レンズ群２２５は、固定鏡筒に内蔵される。可動レンズ群２３５は、可動鏡筒に内蔵され、手動又は自動により移動されることにより、ズーム調整やフォーカス調整を可能としている。
【００４７】
このような投影装置１０を構成することで、蛍光板１０１を回転させるとともに励起光照射装置７０及び赤色光源装置１２０から異なるタイミングで光が出射されると、赤色、緑色及び青色の各波長帯域光は、導光光学系１４０を介してライトトンネル１７５に入射し、さらに光源側光学系１７０を介して表示素子５１に入射する。よって、投影装置１０の表示素子５１であるＤＭＤがデータに応じて各色の光を時分割表示することにより、スクリーンにカラー画像を投影することができる。
【００４８】
図４は、励起光照射装置７０における収容部材４００及び光源ユニット６００の図３のＩＶ−ＩＶ断面に相当する模式図である。図５は、収容部材４００の一部を図４のＰ部側からみた正面図である。収容部材４００は、第１ホルダ４１０と第２ホルダ４２０を備える。なお、以下の収容部材４００の説明では、第１ホルダ４１０側を前、第２ホルダ４２０側を後とする。また、図４では、説明を簡単にするため青色レーザダイオード７１を含む周辺構造を図示から省略し、コリメータレンズアレイ７３のレンズ部７３１が一つである場合について示している。
【００４９】
第１ホルダ４１０及び第２ホルダ４２０は、収容物として光源ユニット６００を収容する。光源ユニット６００は、図３に示したコリメータレンズアレイ７３と青色レーザダイオード７１を収容する固定ホルダ７４を有する。固定ホルダ７４の後方に形成された溝部には、青色レーザダイオード７１へ駆動電流を供給するための配線基板６２０が設けられる。コリメータレンズアレイ７３と固定ホルダ７４は、光硬化型、熱硬化型又は２液混合型等の接着剤Ａ１で固定される。接着剤Ａ１は、コリメータレンズアレイ７３と固定ホルダ７４との間の一部に形成することができる。
【００５０】
第１ホルダ４１０は、第１位置決め部４１１と第１平板部４１２とを備える。第１平板部４１２は第１位置決め部４１１の両側から延設される。第１位置決め部４１１は、前方に向かって窪んだ凹状に形成され、略中央側に貫通した透光孔４１１ａを有する。コリメータレンズアレイ７３のレンズ部７３１は、透光孔４１１ａ内に配置及び固定される。
【００５１】
各第１平板部４１２には、第１開口部４１２ａ及び固定孔４１２ｂが形成される。第１開口部４１２ａは、固定孔４１２ｂよりも第１位置決め部４１１側へ配置される。本実施形態の第１開口部４１２ａ及び固定孔４１２ｂは、第１ホルダ４１０側から第２ホルダ４２０側へ向かって前後方向に形成された貫通孔である。第１開口部４１２ａは、図５に示す通り、略長方形状に形成される。
【００５２】
第１平板部４１２の端部には、第２ホルダ４２０側へ立設する第１リブ４１３が設けられる。第１リブ４１３は、図示はしないが、第１開口部４１２ａと略同じ方向に延設される板状や第２ホルダ４２０を囲う枠状に形成することができる。また、第１平板部４１２は、第１開口部４１２ａに隣接する第２ホルダ４２０側の位置に、破線で示す溝部４１２ｃを有する。溝部４１２ｃは、第１開口部４１２ａよりも大きな開口面積で第１リブ４１３側に拡幅されるように形成される。そのため、溝部４１２ｃ内において第１ホルダ４１０の前面４１ａ側には、第１平板部４１２の延設方向と略平行な段部４１２ｃ１が形成される。
【００５３】
第２ホルダ４２０は、第２位置決め部４２１と第２平板部４２２とを備える。第２位置決め部４２１は、後方に向かって窪んだ凹状に形成される。
【００５４】
第２平板部４２２には、第２開口部４２２ａ及び固定孔４２２ｂが形成される。固定孔４２２ｂは、第２開口部４２２ａよりも第２位置決め部４２１側へ配置される。本実施形態の第２開口部４２２ａは、第２平板部４２２の端部に形成された切欠部である。切欠部は、第２平板部４２２の端面と第１リブ４１３の内面とで形成される隙間である。
【００５５】
第２平板部４２２には、第２リブ４２３が形成される。第２リブ４２３は、第１開口部４１２ａと対応する位置に設けられる。第２リブ４２３の外径は、第１開口部４１２ａに挿通可能な大きさに形成される。第２リブ４２３は、第１ホルダ４１０と第２ホルダ４２０を組み合せた際に、第１開口部４１２ａ内の第１位置決め部４１１側に位置するように設けられる。第２リブ４２３は、図５に示すように、第１開口部４１２ａと同方向に長軸を有する略板状に形成される。したがって、第１開口部４１２ａの孔形状は、第２リブ４２３よりも広い幅で形成される。また、第２リブ４２３の高さは、第１平板部４１２の板厚よりも高く形成される。
【００５６】
つぎに、収容部材４００の収容方法について説明する。光源ユニット６００は、第１ホルダ４１０と、第２ホルダ４２０の中に収容される。光源ユニット６００は、光源ユニット６００の前面６００ａが第１位置決め部４１１の内面と当接し、光源ユニット６００の後面６００ｂが第２位置決め部４２１の内面と当接して、第１ホルダ４１０と第２ホルダ４２０に挟持されて固定される。このとき、第１平板部４１２と第２平板部４２２とは、前後に対向して向かい合うように略平行に配置される。よって、第１開口部４１２ａは、第２ホルダ４２０の一部を第１ホルダ４１０側から目視可能に配置され、第２開口部４２２ａは、第１ホルダ４１０の一部を第２ホルダ４２０側から目視可能に配置される。即ち、第１ホルダ４１０には貫通孔である第１開口部４１２ａが形成され、第１開口部４１２ａと対応する位置における第２ホルダ４２０が露出しており、第２ホルダ４２０には第２開口部４２２ａが形成され、第２開口部４２２ａと対応する位置における第１ホルダ４１０が露出している。
【００５７】
光源ユニット６００が収容されている図４の状態では、第２リブ４２３は第１開口部４１２ａ内を貫通して、先端４２３ａが第１平板部４１２の前面４１ａよりも前方側へ突出して配置される。また、第１リブ４１３は第２開口部４２２ａを介して、先端４１３ａが第２平板部４２２の後面４２ｂよりも後方側へ突出して配置される。
【００５８】
第１ホルダ４１０と第２ホルダ４２０を向かい合せた図４の状態で、固定孔４１２ｂ及び固定孔４２２ｂに図示しない固定用の螺子を後方側から前方側へ挿入することにより、第１ホルダ４１０と第２ホルダ４２０は前後方向に固定される。固定孔４１２ｂ及び固定孔４２２ｂによる第１平板部４１２及び第２平板部４２２の固定は、光源装置６０へ取り付けて行ってもよいし、仮止めとして光源装置６０へ取り付けずに行ってもよい。
【００５９】
その後、貫通孔として形成された２ヶ所の第１開口部４１２ａにおける第２リブ４２３で占有されていない領域に、液状の接着剤Ａ２が流し込まれる。接着剤Ａ２は、第１開口部４１２ａ及び溝部４１２ｃに流入する。接着剤Ａ２としては、例えば、光硬化型、熱硬化型又は２液混合型等の接着剤を用いることができる。接着剤Ａ２が熱硬化型の場合、第１ホルダ４１０や第２ホルダ４２０等を加熱すると、流し込んだ接着剤Ａ２は硬化して第１ホルダ４１０と第２ホルダ４２０に接着する。そのため、第１ホルダ４１０と第２ホルダ４２０は互いに固定される。
【００６０】
また、第２リブ４２３は、第１開口部４１２ａ内において光源ユニット６００側の位置に配置されるため、接着剤Ａ２は、第１開口部４１２ａ内における光源ユニット６００の反対側（第１リブ４１３側）の領域へ供給される。そのため、第２リブ４２３により接着剤Ａ２が第１平板部４１２と第２平板部４２２との間の間隙Ｓ１を介して光源ユニット６００側へ流入することを防ぐことができる。第２リブ４２３の先端４２３ａは、第１ホルダ４１０と第２ホルダ４２０を組み合せた際に貫通孔である第１開口部４１２ａから突出しているため、接着剤Ａ２が先端４２３ａの部分を越えて光源ユニット６００側へ回り込むことを防ぐことができる。
【００６１】
また、第２リブ４２３の先端４２３ａ部分は、接着剤Ａ２を供給するディスペンサ等のノズルの一部を当て付けるために利用することができる。そのため、接着剤Ａ２を第１開口部４１２ａ内へ安定して供給することができる。
【００６２】
第１ホルダ４１０を前方側から見ると、第１開口部４１２ａ内は接着剤Ａ２で充填される（図５も参照）。そのため、外部から第１ホルダ４１０と第２ホルダ４２０との接続状態を視認したり接続方法を推測することが難しく、接着剤Ａ２を第１開口部４１２ａから何らかの道具でアクセスして除去することも難しい。また、図５に示すように、第１開口部４１２ａは横長の板状であるため、接着力を向上させることができる。そのため、第三者は第１ホルダ４１０と第２ホルダ４２０とを適切な方法を採らなければ引き剥がして分解することが困難となる。接着剤Ａ２によって固定された第１ホルダ４１０及び第２ホルダ４２０は、例えば、固定孔４１２ｂ及び固定孔４２２ｂに挿通した螺子等によって図３の光源装置６０等に固定することができる。
【００６３】
なお、第１リブ４１３は、接着剤Ａ２が第１平板部４１２と第２平板部４２２との間の間隙Ｓ２を通り、第２開口部４２２ａを介して後面４２ｂ側へ回り込んだ場合であっても、接着剤Ａ２が第１リブ４１３の先端４１３ａを介して収容部材４００の側方側等の外部に回り込むことを表面張力により防止できる。そのため、収容部材４００を光源装置６０に固定した際に、周辺の部材に硬化した接着剤Ａ２が干渉することを防ぐことができる。
【００６４】
つぎに、収容部材４００の分解方法について説明する。接着剤Ａ２は、第１開口部４１２ａ、溝部４１２ｃ、第２リブ４２３及び第２平板部４２２の前面４２ａに接着している。使用者が第１リブ４１３の先端４１３ａを前方へ押圧するとともに、第２リブ４２３の先端４２３ａを後方へ押圧すると、第１ホルダ４１０は前方へ押圧され、第２ホルダ４２０は後方へ押圧される。よって、第２リブ４２３、第１開口部４１２ａ及び溝部４１２ｃの前後方向に形成される面と接している接着剤Ａ２は、前後方向のせん断応力で剥離する。また、第２平板部４２２及び段部４１２ｃ１と前後方向に接している接着剤Ａ２は、引張応力で剥離する。
【００６５】
例えば、第１ホルダ４１０の第１リブ４１３と、第２ホルダ４２０の第２リブ４２３とを、万力等で挟み込むように押圧する。このとき、第１リブ４１３と第２リブ４２３の組が図４に示すように光源ユニット６００を挟んで上下に１ヶ所ずつ設けられている場合、一方側の第１リブ４１３及び第２リブ４２３と、他方側の第１リブ４１３及び第２リブ４２３に同時に挟み込むように力を加えるようにすると、接着剤Ａ２を第１ホルダ４１０及び第２ホルダ４２０から容易に剥離させることができる。よって、収容部材４００を分解することができる。
【００６６】
（実施形態２）
つぎに、実施形態２について説明する。実施形態２では、収容物を収容する収容部材４００の代わりに収容部材５００を用いる。図６は、収容部材５００及び光源ユニット６００の図３のＩＶ−ＩＶ断面に相当する模式図である。なお、収容部材５００では、第１ホルダ５１０側を前、第２ホルダ５２０側を後として説明する。また、図６では、図４と同様に説明を簡単にするため、青色レーザダイオード７１を含む周辺構造を図示から省略し、コリメータレンズアレイ７３のレンズ部７３１が一つである場合について示している。また、本実施形態２において実施形態１と同様の構成については同一の符号を付し、その説明を省略又は簡略化する。
【００６７】
第１ホルダ５１０は、第１位置決め部５１１と第１平板部５１２とを備える。第１平板部５１２は、第１位置決め部５１１の両側から延設される。第１位置決め部５１１は、前方に向かって窪んだ凹状に形成され、略中央側に貫通した透光孔５１１ａを有する。コリメータレンズアレイ７３のレンズ部７３１は、透光孔５１１ａ内に配置及び固定される。
【００６８】
各第１平板部５１２には、第１開口部５１２ａと他の第１開口部５１２ｂが形成される。第１開口部５１２ａは、第１開口部５１２ｂよりも第１位置決め部５１１側へ配置される。本実施形態の各第１開口部５１２ａ，５１２ｂは、第１ホルダ５１０側から第２ホルダ５２０側へ向かって前後方向に形成された貫通孔である。第１開口部５１２ｂは、第１ホルダ５１０と第２ホルダ５２０を分解する際に使用される。第１開口部５１２ａは、実施形態１の第１開口部４１２ａと同様に、略長方形状に形成することができる。
【００６９】
第１平板部５１２の端部には、第２ホルダ５２０側へ立設する第１リブ５１３が設けられる。第１リブ５１３は、図示はしないが、第１開口部５１２ａと略同じ方向に延設される板状や第２平板部５２２の周囲を囲う枠状に形成することができる。また、第１平板部５１２は、第１開口部５１２ａに隣接する第２ホルダ５２０側の位置に、破線で示す溝部５１２ｃを有する。溝部５１２ｃは、第１開口部５１２ａよりも大きな開口面積で第１位置決め部５１１側に拡幅されるように形成される。そのため、溝部５１２ｃにおいて第１ホルダ５１０の前面５１ａ側には、第１平板部５１２の延設方向と略平行な段部５１２ｃ１が形成される。
【００７０】
第２ホルダ５２０は、第２平板部５２２として全体が平板状に形成される。第２平板部５２２には、第２開口部５２２ａが形成される。本実施形態の第２開口部５２２ａは、第２平板部５２２の端部に形成された切欠部である。
【００７１】
分解治具７００は、凹部７１０と平板部７２０とを備える。凹部７１０は、分解治具７００の略中央側において第１位置決め部５１１の外径より大きく形成される。平板部７２０は、凹部７１０の両端から各々延設される。平板部７２０は、凹部７１０の窪み方向と反対側に向かって立設する分解リブ７２１を有する。分解リブ７２１の外径は第１ホルダ５１０の第１開口部５１２ｂに挿入可能な大きさに形成される。
【００７２】
つぎに、収容部材５００の収容方法について説明する。光源ユニット６００は、第１ホルダ５１０と第２ホルダ５２０の中に収容される。光源ユニット６００は、光源ユニット６００の前面６００ａが第１位置決め部５１１の内面と当接し、光源ユニット６００の後面６００ｂが第２平板部５２１の内面と当接して、第１ホルダ５１０と第２ホルダ５２０に挟持されて固定される。このとき、第１平板部５１２と第２平板部５２２とは、前後に対向して向かい合うように略平行に配置される。よって、第１開口部５１２ａ，５１２ｂは、第２ホルダ５２０の一部を第１ホルダ５１０側から目視可能に配置され、第２開口部５２２ａは、第１ホルダ５１０の一部を第２ホルダ５２０側から目視可能に配置される。
【００７３】
光源ユニット６００が収容されている図６の状態では、第１リブ５１３は第２開口部５２２ａを介して、先端５１３ａが第２平板部５２２の後面５２ｂよりも後方側へ突出して配置される。
【００７４】
第１ホルダ５１０と第２ホルダ５２０を向かい合せた図６の状態で、第１ホルダ５１０と第２ホルダ５２０は、第１平板部５１２及び第２平板部５２２に形成された図示しない固定孔に固定用の螺子が挿入される等により、前後方向に固定される。第１平板部５１２及び第２平板部５２２の固定は、光源装置６０へ取り付けて行ってもよいし、仮止めとして光源装置６０へ取り付けずに行ってもよい。
【００７５】
その後、貫通孔として形成された２ヶ所の第１開口部５１２ａには、液状の接着剤Ａ２が流し込まれる。接着剤Ａ２は、第１開口部５１２ａ及び溝部５１２ｃに流入する。接着剤Ａ２として、例えば、熱硬化型の接着剤を用いることができる。接着剤Ａ２が熱硬化型の場合、第１ホルダ５１０や第２ホルダ５２０等を加熱すると、流し込んだ接着剤Ａ２は硬化して第１ホルダ５１０と第２ホルダ５２０に接着する。そのため、第１ホルダ５１０と第２ホルダ５２０は互いに固定される。
【００７６】
また、実施形態１と同様、第１ホルダ５１０を前方側から見ると、第１開口部５１２ａ内は接着剤Ａ２で充填される。そのため、外部から第１ホルダ５１０と第２ホルダ５２０との接続状態を視認したり接続方法を推測することが難しく、接着剤Ａ２を第１開口部５１２ａから何らかの道具でアクセスして除去することも難しい。また、第１開口部５１２ａは実施形態１と同様に横長の板状とすることができ、接着力を向上させることができる。そのため、第三者は第１ホルダ５１０と第２ホルダ５２０とを適切な方法を採らなければ引き剥がして分解することが困難となる。接着剤Ａ２によって固定された第１ホルダ５１０及び第２ホルダ５２０は、例えば、図示しない固定孔に挿通した螺子等によって図３の光源装置６０等に固定することができる。
【００７７】
なお、第１リブ５１３は、実施形態１と同様に接着剤Ａ２が第１平板部５１２と第２平板部５２２との間の間隙Ｓ３を通り、第２開口部５２２ａを介して後面５２ｂ側へ回り込んだ場合であっても、接着剤Ａ２が第１リブ５１３の先端５１３ａを介して第１リブ５１３の側方側等の外部に回り込むことを表面張力により防止できる。そのため、収容部材５００を光源装置６０等に固定した際に、周辺の部材に硬化した接着剤Ａ２が干渉することを防ぐことができる。
【００７８】
つぎに、収容部材５００の分解方法について説明する。接着剤Ａ２は、第１開口部５１２ａ、溝部５１２ｃ及び第２平板部５２２の前面５２ａに接着している。まず、分解治具７００の各分解リブ７２１を第１開口部５１２ｂ内に挿入し、分解リブ７２１の先端７２１ａを第２平板部５２２の前面５２ａへ当接させるように配置する。このとき凹部７１０は、第１位置決め部５１１の外周を囲うように配置されるため、第１位置決め部５１１と干渉しない。
【００７９】
使用者が第１リブ５１３の先端５１３ａを前方へ押圧するとともに、平板部７２０の前面７２ａを後方へ押圧すると、第１ホルダ５１０は前方へ押圧され、第２ホルダ５２０は後方へ押圧される。よって、第１開口部５１２ａ、溝部５１２ｃ及び固定ホルダ７４の側面７４ｃの前後方向に形成される面と接している接着剤Ａ２は、前後方向のせん断応力で剥離する。また、第２平板部５２２及び段部５１２ｃ１と前後方向に接している接着剤Ａ２は、引張応力で剥離する。
【００８０】
例えば、第１ホルダ５１０の第１リブ５１３と、分解治具７００の前面７２ａとを、万力等で挟み込むように押圧する。このとき、第１リブ５１３と第１開口部５１２ｂの組が図６に示すように光源ユニット６００を挟んで上下に１ヶ所ずつに設けられている場合、一方側の第１リブ５１３及び分解リブ７２１と、他方側の第１リブ５１３及び分解リブ７２１に同時に力を加えるようにすると、接着剤Ａ２を第１ホルダ５１０及び第２ホルダ５２０から容易に剥離させることができる。よって、収容部材５００を分解することができる。
【００８１】
以上、各実施形態で説明したように、収容部材４００，５００は、収容物を収容する第１ホルダ４１０，５１０及び第２ホルダ４２０，５２０を備え、第１ホルダ４１０，５１０が第２ホルダ４２０，５２０の対向位置に形成されて第２ホルダ４２０，５２０の一部を第１ホルダ４１０，５１０側から目視可能な第１開口部４１２ａ，５１２ａ，５１２ｂを有し、第２ホルダ４２０，５２０が第１ホルダ４１０，５１０の対向位置に形成されて第１ホルダ４１０，５１０の一部を第２ホルダ４２０，５２０側から目視可能な第２開口部４２２ａ，５２２ａを有し、第１ホルダ４１０，５１０と第２ホルダ４２０，５２０とが第１開口部４１２ａ，５１２ａ，５１２ｂ内において接着剤Ａ２により固定される構成とした。
【００８２】
そのため、第１開口部４１２ａ，５１２ａ，５１２ｂと第２開口部４２２ａ，５２２ａを介して、第１ホルダ４１０，５１０と第２ホルダ４２０，５２０とを挟むように加圧することで、第１ホルダ４１０，５１０と第２ホルダ４２０，５２０とを容易に分解することができる。また、第１開口部４１２ａ，５１２ａ，５１２ｂの接着剤Ａ２の接着状態や位置を視認しにくい構造としているため、第三者による分解方法の推測を困難にすることができる。よって、収容物の分解を防止するとともに保守性を確保した収容部材４００，５００、光源装置６０及び投影装置１０を提供することができる。
【００８３】
また、第１ホルダ５１０が第１開口部５１２ａ，５１２ｂを複数有し、第１ホルダ５１０と第２ホルダ５２０とが一部の第１開口部５１２ａにおいて接着剤Ａ２により固定される収容部材５００は、接着剤Ａ２を流入させるための貫通孔の空間容積を広く取ることができる。また、第１ホルダ５１０と第２ホルダ５２０とを分解するために治具を挿入する領域を多く確保することができ、容易に分解作業を行うことができる。
【００８４】
また、第１ホルダ４１０，５１０は収容物を収容する第１位置決め部４１１，５１１と、第１開口部４１２ａ，５１２ａ，５１２ｂが形成された第１平板部４１２，５１２とを有し、第２ホルダ４２０，５２０は第２開口部４２２ａ，５２２ａが形成された第２平板部４２２，５２２を有する。収容部材４００，５００は、平板部の各面同士を合わせて第１開口部４１２ａ，５１２ａ，５１２ｂに接着剤Ａ２を流入させるため、第１ホルダ４１０，５１０と第２ホルダ４２０，５２０との接着強度を高めることができる。
【００８５】
また、第１開口部４１２ａ，５１２ａが貫通孔であり、第２開口部４２２ａ，５２２ａが切欠部である収容部材４００，５００は、第１ホルダ４１０，５１０と第２ホルダ４２０，５２０との押し合う位置を第１ホルダ４１０，５１０及び第２ホルダ４２０，５２０上分散させて均等に加圧して分解することがきできる。
【００８６】
また、収容部材４００，５００は、第１ホルダ４１０，５１０が第２開口部４２２ａ，５２２ａの対向位置に第２ホルダ４２０，５２０側へ立設して先端４１３ａ，５１３ａが第２開口部４２２ａ，５２２ａから突出する第１リブ４１３，５１３を有する。そのため、突出した第１リブ４１３，５１３の先端を押すことにより、容易に接着剤Ａ２を引き剥がすことができる。
【００８７】
また、収容部材４００は、第２ホルダ４２０が第１開口部４１２ａの対向位置に第１ホルダ４１０側へ立設して先端４２３ａが第１開口部４１２ａから突出する第２リブ４２３を有する。そのため、第２リブ４２３の先端４２３ａの押圧を板状の治具を当接させて行うことができ、第１ホルダ４１０と第２ホルダ４２０の分解を容易に行うことができる。
【００８８】
また、第２リブ４２３が第１開口部４１２ａ内における収容物側に配置される収容部材４００は、接着剤Ａ２の収容物側への流入を防ぐことができる。
【００８９】
また、第１ホルダ４１０，５１０は、第２ホルダ４２０，５２０側において第１開口部４１２ａ，５１２ａに隣接した溝部４１２ｃ，５１２ｃを有する。そのため、収容部材４００，５００は溝部４１２ｃ，５１２ｃに供給された接着剤Ａ２により第１ホルダ４１０，５１０と第２ホルダ４２０，５２０との接着強度を高めることができる。
【００９０】
また、第２ホルダ４２０が第２位置決め部４２１を有する収容部材４００は、収容物の位置決め精度を高めて、収容部材４００による保持を安定させることができる。
【００９１】
また、各実施形態に示した収容部材４００，５００は、第１ホルダ４１０，５１０及び第２ホルダ４２０，５２０の表面積を広くすると、光源ユニット６００の冷却効果を高めることができる。また、収容部材４００，５００は、密閉構造としたため、光源ユニット６００が配置される内部へ埃の侵入を防止することができる。
【００９２】
また、破断した接着剤Ａ２は、ブラシ等で容易に除去できるものを使用することで、第１ホルダ４１０，５１０と第２ホルダ４２０，５２０を再度固定する際に接着剤Ａ２の流し込みを容易にすることができる。
【００９３】
以上説明した各実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００９４】
例えば、硬化時に弾性のある接着剤を接着剤Ａ２の代わりに用いてもよい。これにより光源ユニット６００への振動を低減させることができる。
【００９５】
また、図４の例では、第１開口部４１２ａを固定孔４１２ｂよりも第１位置決め部４１１側、すなわち光源ユニット６００側へ配置したが、固定孔４１２ｂを第１開口部４１２ａよりも光源ユニット６００側へ配置してもよい。
【００９６】
また、第１開口部４１２ａ，５１２ａに対する溝部４１２ｃの数、幅、深さ等の占有領域をさらに増やす構成としてもよい。これにより接着剤Ａ２による接着強度を高めることができる。
【００９７】
また、収容部材５００を分解するための第１開口部５１２ｂは切欠部としてもよいし、第１リブ４１３，５１３が配置される第２開口部５２２ａは貫通孔としてもよい。また、収容部材４００，５００を分解するための第１開口部５１２ｂ、第２開口部４２２ａ，５２２ａ及び第２リブ４２３は、３ヶ所以上の複数設けてもよい。
【００９８】
また、実施形態２において、第１ホルダ４１０の第１平板部４１２に形成された第１開口部４１２ａは、第１ホルダ４１０側から第２ホルダ４２０側へ向かって前後方向に形成された貫通孔であり、実施形態1の図５に示すように開口形状は略長方形状であるとしたが、この構成に限らない。例えば、第１開口部５１２ｂの形状は、第１平板部５１２を正面からみた状態において、複数種類の孔形状としてもよい。この場合、分解治具７００の分解リブ７２１は、第１開口部５１２ｂに挿通可能な大きさ、形状、数に形成される。これにより、収容部材５００の分解防止機能を高めることができる。第１開口部４１２ａの形状を、略円形状若しくは略正方形状の孔形状とした場合、略円形状若しくは略正方形状の第１開口部４１２ａを第１ホルダ４１０の第１平板部４１２に複数形成すると共に、第１開口部４１２ａの形状と略同形状のダミー開口部を複数形成しても良い。複数の第１開口部４１２ａ及び複数のダミー開口部を全体としてマトリクス状になるように配置する。ダミー開口部は有底筒状若しくは有底角柱状とし、収容部材５００によってダミー開口部の位置を変えることで、分解治具７００の分解リブ７２１の位置が第１開口部４１２ａと合致しなくなり、光源ユニット（収容物）６００の分解を防止することができる。なお、第１開口部５１２ｂの貫通孔の数を３箇所以上設けることで、第２ホルダ４２０全体を万力や治具等を使用して押し易くできる。
【００９９】
また、実施形態１、２において、第１ホルダ４１０、５１０と第２ホルダ４２０、５２０とは、第１開口部４１２ａ、５１２ａ内において接着剤Ａ２により固定されるとしたが、接着剤Ａ２を塗布する領域は第１開口部４１２ａ、５１２ａ内でなくても良い。例えば、第１ホルダ４１０、５１０の後面と第２ホルダ４２０、５２０の前面４２ａ、５２ａとが互いに接触する面で接着しても良い。
【０１００】
以下に、本願出願の最初の特許請求の範囲に記載された発明を付記する。
［１］  収容物を挟みこんで収容し、互いに対向する位置に配置される第１ホルダ及び第２ホルダを備え、
前記第１ホルダには貫通孔である第１開口部が形成され、前記第１開口部と対応する位置における前記第２ホルダが露出しており、
前記第２ホルダには第２開口部が形成され、前記第２開口部と対応する位置における前記第１ホルダが露出しており、
前記第１ホルダと前記第２ホルダとは接着剤により固定される、
ことを特徴とする収容部材。
［２］  前記第１ホルダは、前記第１開口部を複数有し、
前記第１ホルダと前記第２ホルダとは、一部の前記第１開口部において前記接着剤により固定される、
ことを特徴とする上記［１］に記載の収容部材。
［３］  前記第１ホルダは、前記収容物を収容する第１位置決め部と、前記第１開口部が形成された第１平板部とを有し、
前記第２ホルダは、前記第２開口部が形成された第２平板部を有する、
ことを特徴とする上記［１］又は上記［２］に記載の収容部材。
［４］  前記第１ホルダは、前記第２開口部の対向位置に前記第２ホルダ側へ立設して先端が前記第２開口部から突出する第１リブを有することを特徴とする上記［１］乃至上記［３］の何れかに記載の収容部材。
［５］  前記第２ホルダは、前記第１開口部の対向位置に前記第１ホルダ側へ立設して先端が前記第１開口部から突出する第２リブを有することを特徴とする上記［１］乃至上記［４］の何れかに記載の収容部材。
［６］  前記第２リブは、前記第１開口部内における前記収容物側に配置されることを特徴とする上記［５］に記載の収容部材。
［７］  前記第１ホルダは、前記第２ホルダ側において、前記第１開口部に隣接した溝部を有することを特徴とする上記［１］乃至上記［６］の何れかに記載の収容部材。
［８］  前記第２ホルダは、前記収容物を収容する第２位置決め部を有することを特徴とする上記［１］乃至上記［７］の何れかに記載の収容部材。
［９］  前記第１ホルダは、複数のダミー開口部が形成されており、
前記ダミー開口部は、有底筒状若しくは有底角柱状であることを特徴とする上記［１］乃至上記［８］の何れかに記載の収容部材。
［１０］  上記［１］乃至上記［９］の何れかに記載の収容部材を備え、
前記収容物は光源である、
ことを特徴とする光源装置。
［１１］  上記［１０］に記載の光源装置と、
前記光源装置からの光源光が照射され、画像光を形成する表示素子と、
前記表示素子から出射された前記画像光をスクリーンに投影する投影側光学系と、
前記表示素子と前記光源装置を制御する投影装置制御部と、
を有することを特徴とする投影装置。
【符号の説明】
【０１０１】
１０      投影装置                      １１      上面パネル
１２      正面パネル                    １３      背面パネル
１４      右側パネル                    １５      左側パネル
１７      排気孔                        １８      吸気孔
１９      レンズカバー                  ２１      入出力コネクタ部
２２      入出力インターフェース        ２３      画像変換部
２４      表示エンコーダ                ２５      ビデオＲＡＭ
２６      表示駆動部                    ３１      画像圧縮／伸長部
３２      メモリカード                  ３５      Ｉｒ受信部
３６      Ｉｒ処理部                    ３７      キー／インジケータ部
３８      制御部（投影装置制御部）      ４１      光源制御回路
４１ａ    前面                          ４２ａ    前面
４２ｂ    後面                          ４３      冷却ファン駆動制御回路
４５      レンズモータ                  ４７      音声処理部
４８      スピーカ                      ５１      表示素子
５２ａ    前面                          ５２ｂ    後面
６０      光源装置                      ７０      励起光照射装置
７１      青色レーザダイオード          ７２ａ    前面
７３      コリメータレンズアレイ        ７４      固定ホルダ
７４ｃ    側面                          ７６      反射ミラー
７８      拡散板                        ８０      緑色光源装置
８１      ヒートシンク                  １００    蛍光板装置
１０１    蛍光板                        １１０    モータ
１１５    集光レンズ                    １１７    集光レンズ群
１２０    赤色光源装置                  １２１    赤色光源
１２５    集光レンズ群                  １３０    ヒートシンク
１４０    導光光学系                    １４１    第一ダイクロイックミラー
１４３    第一反射ミラー                １４５    第二反射ミラー
１４６    集光レンズ                    １４７    集光レンズ
１４８    第二ダイクロイックミラー      １４９    集光レンズ
１７０    光源側光学系                  １７３    集光レンズ
１７５    ライトトンネル                １７８    集光レンズ
１７９    光軸変換ミラー                １８３    集光レンズ
１８５    照射ミラー                    １９０    ヒートシンク
１９５    コンデンサレンズ              ２２０    投影側光学系
２２５    固定レンズ群                  ２３５    可動レンズ群
２４１    制御回路基板
４００    収容部材                      ４１０    第１ホルダ
４１１    第１位置決め部                ４１１ａ  透光孔
４１２    第１平板部                    ４１２Ａ  第１開口部
４１２ａ  第１開口部（貫通孔）          ４１２ｂ  固定孔
４１２ｃ  溝部                          ４１２ｃ１  段部
４１３    第１リブ                      ４１３ａ  先端
４２０    第２ホルダ                    ４２１    第２位置決め部
４２２    第２平板部                    ４２２ａ  第２開口部（切欠部）
４２２ｂ  固定孔                        ４２３    第２リブ
４２３ａ  先端
５００    収容部材                      ５１０    第１ホルダ
５１１    第１位置決め部                ５１１ａ  透光孔
５１２    第１平板部                    ５１２ａ  第１開口部（貫通孔）
５１２ｂ  第１開口部（貫通孔）          ５１２ｃ  溝部
５１２ｃ１  段部                        ５１３    第１リブ
５１３ａ  先端                          ５２０    第２ホルダ
５２１    第２平板部                    ５２２    第２平板部
５２２ａ  第２開口部（切欠部）
６００    光源ユニット（光源、収容物）  ６００ａ  前面
６００ｂ  後面                          ６２０    配線基板
７００    分解治具                      ７１０    凹部
７２０    平板部                        ７２１    分解リブ
７２１ａ  先端                          ７３１    レンズ部
Ａ１      接着剤                        Ａ２      接着剤
Ｓ１      間隙                          Ｓ２      間隙
Ｓ３      間隙
【図１】
2019003155.tif 000003
【図２】
2019003155.tif 000004
【図３】
2019003155.tif 000005
【図４】
2019003155.tif 000006
【図５】
2019003155.tif 000007
【図６】
2019003155.tif 000008